(57)【要約】      （修正有）【課題】建物内の据え置き型の洗浄機を用いることなく、空調機のフィルターを洗浄する。【解決手段】フィルター洗浄車１は、空調機器のフィルターを洗浄する洗浄システム５と、洗浄システム５を搭載する車両２と、洗浄システム５に給電する発電機６とを備えている。この洗浄システム５は、フィルターを洗浄水により洗浄する洗浄機８と、洗浄機８に洗浄水を供給する浄水タンク１０とを備え、浄水タンク１０内には洗浄水を濾過するカートリッジフィルターが設けられ、洗浄機８で洗浄されたフィルターは乾燥室内に順に並べられる。ここで並べられたフィルター列の順方向から発電機６の排熱を加えて乾燥させている。【選択図】図２
2018001964.tif 000002
【特許請求の範囲】
【請求項１】
空調機器のフィルターを洗浄する洗浄システムと、
前記洗浄システムを搭載する車両と、を備え、
前記洗浄システムは、前記フィルターを洗浄水により洗浄する洗浄機と、該洗浄機に洗浄水を供給する浄水タンクと、を備える
ことを特徴とするフィルター洗浄車。
【請求項２】
前記洗浄システムは、前記フィルター洗浄後の洗浄水を濾過する濾過器をさらに備え、
前記濾過器で濾過された洗浄水が、前記浄水タンクを介して前記洗浄機に供給されることを特徴とする請求項１記載のフィルター洗浄車。
【請求項３】
前記濾過器は、前記浄水タンク内に設けられていることを特徴とする請求項２記載のフィルター洗浄車。
【請求項４】
前記洗浄機に給電する発電機をさらに備え、
前記洗浄機で洗浄された前記フィルターを前記発電機の排熱で乾燥させることを特徴とする請求項１〜３のいずれか１項に記載のフィルター洗浄車。
【請求項５】
前記洗浄機で洗浄された前記各フィルターを順に並べ、
該並べられたフィルター列の順方向から前記発電機の排熱を加えることを特徴とする請求項４記載のフィルター洗浄車。
【発明の詳細な説明】
【技術分野】
【０００１】
本発明は、例えば業務用エンアコンなどの空調機器のフィルターの洗浄に用いられる洗浄車に関する。
【背景技術】
【０００２】
本発明は、先行技術調査を行うことなく、公知・公用のフィルター洗浄方法に基づき開発した発明であり、出願人の知っている先行技術は公知文献発明ではなく、先行技術文献情報は存在しない。
【０００３】
公知・公用のフィルター洗浄方法の概略を説明すれば、業務用エアコンなどの空調機器のフィルターは、ビルなどの建物の地下室などに据え置かれた洗浄機を用いて洗浄され、洗浄後にビルの屋上などで天日干しされていた。
【発明の概要】
【発明が解決しようとする課題】
【０００４】
従来のフィルター洗浄方法は、フィルターを据置型洗浄機で洗浄しているため、建物内に該洗浄機の設置が必要となる。
【０００５】
しかしながら、前記洗浄機の設置は建物内のスペースに制約を与えおそれがあり、建物によっては前記洗浄機の設置スペースの確保が困難な場合がある。また、前記洗浄機の据え付け費用は建物の建設費用に上乗せされるため、建設費用などのコスト抑制の障害となるおそれがあった。
【０００６】
本発明は、このような従来の問題を解決するためになされ、建物内の据置型洗浄機を用いることなく、空調機器のフィルターを洗浄することを解決課題としている。
【課題を解決するための手段】
【０００７】
本発明のフィルター洗浄車は、空調機器のフィルターを洗浄する洗浄システムと、前記洗浄システムを搭載する車両と、を備えている。この洗浄システムは、前記フィルターを洗浄水により洗浄する洗浄機と、該洗浄機に洗浄水を供給する浄水タンクと、を備えている。
【０００８】
前記洗浄システムは、前記フィルター洗浄後の洗浄水を濾過する濾過器を備えた態様が好ましい。この態様によれば、前記濾過器で濾過された洗浄水が前記浄水タンクを介して前記洗浄機に供給される。この濾過器は、例えば前記浄水タンク内に設けることができる。
【０００９】
また、本発明のフィルター洗浄車は、前記洗浄機に給電する発電機をさらに備え、前記洗浄機で洗浄された前記フィルターを前記発電機の排熱で乾燥させる態様が好ましい。例えば前記洗浄機で洗浄された前記各フィルターを順に並べ、該並べられたフィルター列の順方向から前記発電機の排熱を加えて乾燥させることができる。
【発明の効果】
【００１０】
本発明によれば、建物内の据置型洗浄機を用いることなく、空調機器のフィルターを洗浄することができる。したがって、ビルなどの建物内に据置型洗浄機を設置する必要がなく、これにより建物内のスペースを有効に利用でき、また前記洗浄機の設置費用などを削減することができる。
【図面の簡単な説明】
【００１１】
【図１】本発明の実施形態に係るフィルター洗浄車の洗浄システムを示す側面一部内視図。
【図２】図１のＡ−Ａ断面図。
【図３】同  洗浄システムの概略図。
【図４】同  浄水タンクおよび洗浄機の側面一部内視図。
【図５】同  受水槽および洗浄機の側面一部内視図。
【図６】同  受水槽の側面図。
【図７】同  受水槽の底面図。
【図８】同  浄水タンク・濾過カートリッジ・送水ポンプを示す側面図。
【図９】同  浄水タンクの側面図。
【図１０】図１のＢ−Ｂ断面の概略図。
【発明を実施するための形態】
【００１２】
以下、本発明の実施形態に係るフィルター洗浄車を説明する。このフィルター洗浄車は、車両に洗浄システムを搭載している。
【００１３】
この洗浄システムは、例えば業務用エアコンなどの空調機のフィルター（以下、フィルターと省略する。）の洗浄に使用される。したがって、前記フィルター洗浄車は、前記洗浄システムを搭載することで移動式の洗浄機として機能する。
【００１４】
≪構成例≫
図１および図２に基づき前記フィルター洗浄車の全体構成を説明する。このフィルター洗浄車１は、車両（トラック）２と、車両２の荷台３上のコンテナ４内に搭載された洗浄システム５と、洗浄システム５に給電する発電機６とを備え、発電機６はディーゼル発電機により構成されている。
【００１５】
コンテナ４の上部には、洗浄後のフィルターを発電機６の排熱により乾燥させる乾燥室７が設けられている。また、洗浄システム５は、コンテナ４の底板４ａに固定された排水トレー４ｂ上に配置され、図３に示すように、洗浄水をもってフィルターを洗浄する洗浄機８と、洗浄後の洗浄水用の受水槽９と、受水槽９の洗浄水を濾過して洗浄機８に供給する浄水タンク（濾過タンク）１０とを備えている。
【００１６】
（１）洗浄機８
図４および図５に基づき洗浄機８を説明する。この洗浄機８は、図４に示すように、コンテナ４の底板４ａ（図１参照）に固定された排水トレー４ｂ上に配置され、排水トレー４ｂの上面に設置されたボックス上の基台１４と、基台１４上に設置された洗浄機本体１５とを備えている。
【００１７】
この基台１４内の車両前部側には加圧ポンプ１３が収容され、基台１４内の車両後部側には貯水槽１１が形成されている。この貯水槽１１には、図３に示すように、配管４３および送水口３６経由で浄水タンク１０から濾過後の洗浄水が供給されて貯水されている。なお、貯水槽１１には配管４３，３０ａ経由で受水槽９の洗浄水を貯水することもできる。
【００１８】
また、基台１４には、図５に示すように、洗浄機本体１５による洗浄後の洗浄水を排出する排水シュート１５ｂが受水槽９側に突出形成されている。さらに基台１４の車両後部側パネル１４ａには、図４に示すように、洗浄システム５の運転を操作する操作パネル１９が取り付けられている。
【００１９】
この操作パネル１９には、洗浄システム５の電源ボタン１９ａと、同運転ボタン１９ｂと、同停止ボタン１９ｃと、同手動／自動の切替スイッチ１９ｄと、加圧ポンプ１３の作動／停止の切替スイッチ１９ｅと、送水ポンプ１２の作動／停止の切替スイッチ１９ｆと、サマール異常警報ランプ１９ｇと、手動運転ランプ１９ｈと、受水槽９の漏水ランプ１９ｉと、受水槽９の水量警報ランプ１９ｊとが配置されている。この切替スイッチ１９ｅ，１９ｆは、洗浄システム５の手動運転時に使用される。なお、基台１４の底部には、貯水槽１１内の洗浄水を排水トレー４ｂ経由で排水する排水ドレイン１５ｃ，１５ｄが設けられている。
【００２０】
洗浄機本体１５は、図４および図５に示すように、縦長に形成され、内部に形成された洗浄室１６と、洗浄室内１６内に立設して配置されたノズル１７と、車両後部側の側板１５ａに形成された縦長の挿入口１８とを備えている。この洗浄室１６の底部には排水シュート１５ｂに連通する図示省略の連通孔が形成され、ノズル１７は配管１２ａに連結されている。
【００２１】
ここでは貯水槽１１内の洗浄水は、配管１２ｂ（図３参照）経由で加圧ポンプ１３により汲み上げられ、さらに配管１２ａ経由でノズル１７に送り込まれ、ノズル１７の各吐出口１７ａから吐出される。
【００２２】
この加圧ポンプ１３は、図示省略のブラシレスＤＣモータの回転によって駆動され、該モータの回転により洗浄水が加圧されている。ここでは発電機６で発電された電流が前記モータに供給され、加圧ポンプ１３が駆動されている。
【００２３】
（２）受水槽９
図５〜図７に基づき受水槽９を説明する。この受水槽９は、図５および図６に示すように、縦断面凹状の受水槽本体２４と、該受水槽本体２４の上端開口部を開閉自在に閉塞する蓋２３とを備えている。
【００２４】
この受水槽本体２４の内部は、図７に示すように、仕切板２０〜２２により第１室Ａ〜第４室Ｄに仕切られ、各仕切板２０〜２２には図示省略の流入孔が形成されている。この受水槽本体２４の側板２４ａは、第２室Ｂおよび第３室Ｃに応じた位置に一対の排水ドレイン２６が設けられている。また、側板２４ｂは、第３室Ｃに応じた位置に給水口２７が設けられ、第４室Ｄに応じた位置に配管２９ａ（図２参照）と連結される送水口２８が設けられている。
【００２５】
蓋２３には、図６に示すように、排水シュート１５ｂから洗浄水を取り込む取込口２５が蓋２３の第１室Ａに応じた位置に開口形成され、取込口２５には粗ゴミ用フィルター２５ａ（図３参照）が取り付けられている。この取込口２５から取り込まれた洗浄水は、図７中の矢印Ｐに示すように、第１室Ａに流入する。ここで第１室Ａに流入した洗浄水は、矢印Ｑに示すように、仕切板２０の流入孔を通って第２室Ｂに流入する。
【００２６】
この第２室に流入した洗浄水は、矢印Ｒに示すように、仕切板２１の流入孔を通って第３室Ｃに流入する。この第３室Ｃに流入した洗浄水は、矢印Ｓに示すように、仕切板２２の流入孔を通って第４室Ｄに流入する。この第４室Ｄに流入した洗浄水は、送水ポンプ３１（図２および図８参照）により配管２９経由で汲み上げられ、配管３０経由で浄水タンク１０に送りだされる。
【００２７】
（３）浄水タンク１０
図８および図９に基づき浄水タンク１０を説明する。この浄水タンク１０は、図８に示すように、有底筒状のタンク本体３２と、タンク本体３２の上端開口部を閉塞する開閉自在のハッチ３３と、タンク本体３２内に充填されるカートリッジフィルター３４群と、タンク本体３２内の水圧を計測する圧力計４２（図３参照）とを備えている。このカートリッジフィルター３４群で浄化（濾過）された洗浄水がタンク本体３２を介して洗浄機８の貯水槽１１に供給されている。
【００２８】
タンク本体３２の外周には、図８および図９に示すように、配管３０と連結される取水口３５と、配管４３と連結される送水口３６と、タンク本体３２内の浄水を排水するための一対のタンクドレイン３７とが設けられている。
【００２９】
各カートリッジフィルター３４には、中空糸膜フィルターカートリッジが用いられている。この中糸膜フィルターカートリッジは、円筒ケース内に中空糸膜が長手方向に平行に配置されている。この中空糸膜には、例えばセルロース系，ポリオレフリン系，ポリビニルアルコール系，ポリスルホン系などの各種材料が使用されている。
【００３０】
なお、カートリッジフィルター３４は、中空糸膜カートリッジフィルターに限定されるものではなく、例えば活性炭カートリッジフィルターなどの公知の濾過器を使用することができる。
【００３１】
（４）発電機６，乾燥室７
図１および図２に基づき発電機６および乾燥室７を説明する。この発電機６はコンテナ４の後部に設置され、上面には発電時に熱風を排出する送風口３８を備えている。
【００３２】
一方、乾燥室７は、コンテナ４の前部側にフィルターを順に並べる乾燥室本体３９を備え、コンテナ４の後部側に送風口３８から排出された熱風を取り込む取込口４０を備え、乾燥室本体３９の取込口４０側には前記熱風を乾燥室本体３９の奥側に送風する送風機４１を備えている。この送風機４１は、例えば送風ファンなどでよい。
【００３３】
≪動作例≫
以下、前記フィルター洗浄車１の動作例、即ちフィルターの洗浄例を説明する。このフィルター洗浄にあたっては、事前に給水口２７から受水槽９の第２室Ｂに洗浄水が供給され、また車両２は洗浄対象のフィルター群の準備された建物まで移動し、該建物の近辺に駐車していることが前提となる。
【００３４】
（１）洗浄システム５の自動運転
操作パネル１９の電源ボタン１９ａを押すことで洗浄システム５に電源を投入し、洗浄システム５を起動させる。ここでは切替スイッチ１９ｄは自動運転に切り替えられているものとする。この状態のまま運転ボタン１９ｂを押せば、洗浄システム５の自動運転が開始する。
【００３５】
すなわち、両ポンプ１２，１３が作動し、貯水槽１１の洗浄水が加圧ポンプ１３で高圧化され、ノズル１７の各吐出口１７ａから吐出される。ここで図５中のＦは挿入口１８に挿入されたフィルターを示し、挿入口１８から洗浄室１６内に挿入されたフィルターＦは、ノズル１７の各吐出口１７ａから吐出された洗浄水により洗浄されている。
【００３６】
そうすると前記フィルター洗浄車１によれば、前記洗浄対象の各フィルターＦを、図３中の矢印Ｇに示すように、挿入口１８から洗浄室１６内に順に出し入れすることで順次に洗浄することができる。したがって、車両２を前記洗浄対象のフィルターＦ群の用意された建物まで移動させれば、据置型洗浄機を用いることなく、該フィルターＦ群を洗浄することができる。
【００３７】
その結果、ビルなどの建物に据置型洗浄機を設置する必要が無く、建物内のスペースを有効に利用することができる。また、据置型洗浄機の設置費用や保守費用などが削減でき、この点でコスト抑制に寄与する。
【００３８】
一方、洗浄された各フィルターＦは、乾燥室本体３９に一列に順に並べられ、発電機６の排熱、即ち送風口３８から排出される熱風により乾燥される。図１０に基づき詳細を説明すれば、図１０中のＦ１〜Ｆ７は乾燥室本体３９に順に並べられた前記各フィルターＦを示している。
【００３９】
ここでは発電機６の送風口３８から排出された熱風が上昇し、取込口４０から取り込まれる。この取り込まれた熱風は、送風機４１により乾燥室本体３９の奥側に向かって送られる。このときフィルターＦ１〜Ｆ７列の一方向から熱風が当てられるため、フィルター列Ｆ１〜Ｆ７は熱風を当てられた順に乾燥する。
【００４０】
したがって、前記フィルター洗浄車１によれば、フィルターＦ群の洗浄後の乾燥まで行うことができ、これにより従来のように洗浄後のフィルターＦ群を屋上などで天日干しする必要がなく、労力が軽減される。また、発電機６の発電で洗浄システム５が運転するため、建物側からの給電が必要がなく、また停電などに影響されずにフィルターの洗浄が行える。
【００４１】
一方、フィルター洗浄後の洗浄水は、排水シュート１５ｂから排出され、取込口２５を介して受水槽９内に取り込まれる。このとき受水槽９内に取り込まれた洗浄水は、第１室Ａ〜第４室Ｄを経由し、送水ポンプ３１により送水口２８から配管２９，３０を通って浄水タンク１０に送られる。
【００４２】
この浄水タンク１０に送られた洗浄水は、取水口３５を介してタンク本体３２内に流入するため、カートリッジフィルター３４群により浄化（濾過）されて送水口３６から貯水槽１１に供給される。
【００４３】
このように洗浄水は、貯水槽１１と洗浄機本体１５と受水槽９と浄水タンク１０との間を循環することで再利用されている。したがって、前記フィルター洗浄車１への建物側からの給水は特に必要ではなく、節水などに役立つ。
【００４４】
洗浄終了後は、停止ボタン１９ｃを押すことで洗浄システム５の運転を停止させ、必要に応じて洗浄水を排水する。このとき受水槽９内の洗浄水は排水ドレイン２６から排水でき、浄水タンク１０内の洗浄水はタンクドレイン３７から排水でき、貯水槽１１内の洗浄水は排水トレー４ｂ経由で排水ドレイン１５ｃ，１５ｄから排水することができる。
【００４５】
（２）洗浄システム５の手動運転
洗浄システム５の起動後に切替スイッチ１９ｄを手動運転に切り替えれば、洗浄システム５の手動運転が可能である。この場合には、切替スイッチ１９ｅ，１９ｆを切り替えることにより、各ポンプ１２，１３を作動させてフィルターを洗浄することができる。
【００４６】
なお、本発明は、上記実施形態に限定されるものではなく、各請求項に記載された範囲内で変形して実施することができる。例えば受水槽９は、４室（第１室Ａ〜第４室Ｄ）に仕切らなくてもよく、３室や２室あるいは全く仕切らない単一室としてもよいものとする。
【００４７】
また、前記フィルター洗浄車１のコンテナ４内には、乾燥室７を設けなくともよいものとする。この場合に前記フィルター洗浄車１は、フィルターの乾燥機能を持たないものの、据置型洗浄機を用いることなく、空調機器のフィルターを洗浄可能な効果は得られる。
【００４８】
そして、乾燥室７を省略する場合には、排熱の利用は不要なため、洗浄システム５の電源には発電機６ではなく、バッテリーや商用電源を用いることができる。
【符号の説明】
【００４９】
１…フィルター洗浄車
２…車両
５…洗浄システム
６…発電機
８…洗浄機
９…浄水タンク
３４…カートリッジフィルター（濾過器）
【図１】
2018001964.tif 000003
【図２】
2018001964.tif 000004
【図３】
2018001964.tif 000005
【図４】
2018001964.tif 000006
【図５】
2018001964.tif 000007
【図６】
2018001964.tif 000008
【図７】
2018001964.tif 000009
【図８】
2018001964.tif 000010
【図９】
2018001964.tif 000011
【図１０】
2018001964.tif 000012